(57)【特許請求の範囲】
【請求項１】
少なくとも、カートリッジ容器Ａと、カートリッジ容器Ａ受部と、ポンプＡと、配管材と、被電解液を電解する無隔膜電解槽と、吐水パイプと、電源装置と、電気制御基板と、電磁式給水弁と、減圧弁と、原水流水検出手段と、からなり、カートリッジ容器Ａに規定量の水を入れ、そこに食塩と日本薬局方オキシドールとを各々規定量混入させて被電解液とし、該被電解液入りカートリッジ容器Ａを除菌水生成装置に取付け、手指等の洗浄時等必要な時に該被電解液を無隔膜電解槽で電解させて電解液に改変させ、該電解液の規定量を除菌水生成装置内に流れる原水に混入させて生成する除菌水の除菌水生成装置において、コンパクトにするために、カートリッジ容器Ａ受部に、カートリッジ容器Ａの蓋に内蔵される逆止弁を押し上げるノック棒にスプリングと磁石とを設けて磁気検出手段と組み合わせた着脱状態検知手段と、その付近の被電解液の有無及び被電解液濃度を検出するために、水切りを良くするためにテフロン（登録商標）チューブを被せた電極と、を埋設させたことを特徴とする除菌水生成装置。
【請求項２】
少なくとも、カートリッジ容器Ａと、カートリッジ容器Ａ受部と、ポンプＡと、配管材と、被電解液を電解する無隔膜電解槽と、カートリッジ容器Ｂと、カートリッジ容器Ｂ受部と、ポンプＢと、吐水パイプと、電源装置と、電気制御基板と、電磁式給水弁と、減圧弁と、原水流水検出手段と、からなり、カートリッジ容器Ａに規定量の水を入れ、そこに食塩を規定量混入させて被電解液とし、又カートリッジ容器Ｂに規定量の水を入れ、そこに日本薬局方オキシドールを規定量混入させて除菌補助液とし、該被電解液入りカートリッジ容器Ａと、該除菌補助液入りカートリッジ容器Ｂと、を除菌水生成装置に取付け、手指等の洗浄時等必要な時に該被電解液を無隔膜電解槽で電解させて電解液に改変させ、該電解液の規定量と、該除菌補助液の規定量と、を除菌水生成装置内に流れる原水に混入させて生成する除菌水の除菌水生成装置において、コンパクトにするために、カートリッジ容器Ａ受部に、カートリッジ容器Ａの蓋に内蔵される逆止弁を押し上げるノック棒にスプリングと磁石とを設けて磁気検出手段と組み合わせた着脱状態検知手段と、その付近の被電解液の有無及び被電解液濃度を検出するために、水切りを良くするためにテフロン（登録商標）チューブを被せた電極と、を埋設させたことを特徴とする除菌水生成装置。
【発明の詳細な説明】
【０００１】
【発明の属する技術分野】
本発明は、入手性及び安全性を重視し、食塩と日本薬局方（以下、日局という。）オキシドールとを用いて生成される除菌水とその生成装置に係るものであり、詳しくは食塩と日局オキシドールとを規定量混入させた被電解液を無隔膜電解槽で電解させて電解液に改変させ、該電解液の規定量を水道水等の原水に混入させることにより得られる、除菌能力と、ｐＨ値抑制作用と、肌荒れ防止作用とが期待できる除菌水と、その除菌水を有効に生成する除菌水生成装置に関する。
【０００２】
【従来の技術】
従来は、例えば、特開平７−３１３９８２号公報、特開平７−３１３９８３号公報等で開示されているように、水に食塩と、酢酸等の食品添加用有機酸と、ミョウバンと、塩酸と、を混合して電解添加剤とし、該電解添加剤を水道水と共に無隔膜電解槽で電解することにより得られる、除菌能力と、ｐＨ値抑制作用と、肌荒れ防止作用と、が期待できる電解除菌水は知られている。
【０００３】
【発明が解決しようとする課題】
しかしながら、前記電解添加剤は高価であり、又ミョウバンや塩酸等は一般的に入手困難で、取扱上も化学知識等を必要とするため、一般家庭用の水電解器の電解添加剤とするには、入手性及び安全性に問題点がある。
【０００４】
本発明は、従来の技術の有するこのような問題点を鑑みてなされたものであり、その目的とするところは、入手性及び安全性を重視し、除菌能力と、ｐＨ値抑制作用と、肌荒れ防止作用と、が期待できる除菌水及び除菌水生成装置を提供しようとするものである。
【０００５】
【課題を解決するための手段】
上記目的を達成するために、本発明の除菌水生成装置は、少なくとも、カートリッジ容器Ａと、カートリッジ容器Ａ受部と、ポンプＡと、配管材と、被電解液を電解する無隔膜電解槽と、吐水パイプと、電源装置と、電気制御基板と、電磁式給水弁と、減圧弁と、原水流水検出手段と、からなり、カートリッジ容器Ａに規定量の水を入れ、そこに食塩と日局オキシドールとを各々規定量混入させて被電解液とし、該被電解液入りカートリッジ容器Ａを除菌水生成装置に取付け、手指等の洗浄時等必要な時に該被電解液を無隔膜電解槽で電解させて電解液に改変させ、該電解液の規定量を除菌水生成装置内に流れる原水に混入させて生成する除菌水の除菌水生成装置であることを特徴とする。
【０００６】
又本発明の除菌水生成装置は、少なくとも、カートリッジ容器Ａと、カートリッジ容器Ａ受部と、ポンプＡと、配管材と、被電解液を電解する無隔膜電解槽と、吐水パイプと、電源装置と、電気制御基板と、電磁式給水弁と、減圧弁と、原水流水検出手段と、からなり、カートリッジ容器Ａに規定量の水を入れ、そこに食塩を規定量混入させて被電解液とし、又カートリッジ容器Ｂに規定量の水を入れ、そこに日局オキシドールを規定量混入させて除菌補助液とし、該被電解液入りカートリッジ容器Ａと、該除菌補助液入りカートリッジ容器Ｂと、を除菌水生成装置に取付け、手指等の洗浄時等必要な時に該被電解液を無隔膜電解槽で電解させて電解液に改変させ、該電解液の規定量と、該除菌補助液の規定量と、を除菌水生成装置内に流れる原水に混入させて生成する除菌水の除菌水生成装置であることを特徴とする。
【０００９】
詳細においては、コンパクトにするために、カートリッジ容器Ａ受部に、カートリッジ容器Ａの蓋に内蔵される逆止弁を押し上げるノック棒にスプリングと磁石とを設けて磁気検出手段と組み合わせた着脱状態検知手段と、その付近の電解補助剤の有無及び電解補助剤濃度を検出するために、水切りを良くするためにテフロン（登録商標）チューブを被せた電極と、を埋設させたことを特徴とする。
【００１０】
【発明の実施の形態】
発明の実施の形態について図面を参照して説明する。
本発明の一実施例について説明する。図１は本発明の一実施例の除菌水生成装置１０の斜視図である。又、図２はその構成図である。
樹脂成形部材（例えば、ポリプロピレン樹脂）のカートリッジ容器Ａ２０（本実施例では５００ｃｃ容器）には、例えば、水（例えば、水道水、井戸水、蒸留水、精製水、浄水、弱アルカリ性水、弱酸性水、ミネラルウォーター等）１０００ｃｃに、食塩３ｇ（茶さじに、すりきり１杯）、入手性の良い日局オキシドール（過酸化水素２．５〜３．５Ｗ／Ｖ％含有水）２ｃｃ（スポイトで計量するとよい。）の割合で、規定量（水５００ｃｃ、食塩１．５ｇ、日局オキシドール１ｃｃ）を混入させて被電解液をつくり、蓋２１を閉めたカートリッジ容器Ａ２０を逆さまにして除菌水生成装置１０に取付け、カートリッジ容器Ａ固定蓋１２を閉める。
【００１１】
除菌水生成装置１０は、カートリッジ容器Ａ固定蓋１２と、カートリッジ容器Ａ２０と、カートリッジ容器Ａ受部２２と、ポンプＡ４０と、配管材４４と、被電解液を電解する無隔膜電解槽４３（例えば、電解槽電極への通電毎に、該電極に印加する電圧の極性を反転させて、スケール等の付着を防止させてもよい。）と、吐水パイプ１４と、ケース１１と、スイッチ類１５（ケースに取り付けたものばかりでなく、例えば、足踏みスイッチや人体検出センサ等含む。）及び点灯表示部品類１６（例えば、ＬＥＤランプ、豆電球、パイロットランプ、ネオンランプ）と、電源装置５０（例えば、ＡＣ１００Ｖと、ＡＣ１００ＶをＤＣ５Ｖ及びＤＣ２４Ｖ等に変換した電源と、を負荷に電力供給できるもの。又は交流、直流、全波整流、パルス等の電力を制御して負荷に電力供給できるもの。）と、電気制御基板５１（例えば、制御マイコン、抵抗、コンデンサ、コイル、トラジスタ、ＦＥＴ、電源整流ダイオード、サイリスタ、トライアック、三端子レギュレータ、ＩＣ、リレー、ヒューズ、コネクタ、放熱板、ハトメ、ネジ等の電子・電気部品等が実装される印刷配線基板ユニットをいう。印刷配線基板とは一般的にプリント配線板と呼ばれるもので、概要として銅張積層板の銅箔においては電気回路に必要な配線パターンだけをエッチング処理で残し、実装する部品等のリード足形状等に合わせて穿孔し、ソルダーレジスト処理及びシルク文字印刷等を施して完成されるものをいう。製造工程及び手順はメーカにより異なる場合がある。）と、電磁式給水弁６０（例えば、ＡＣ１００Ｖで駆動する常閉型パイロット式給水弁が扱い易い。）及び減圧弁６１（例えば、規定量毎分２Ｌ一定の流水になるように自動調整できるもの。）と、フロースイッチや流量センサ等の原水流水検出手段６２と、からなる。
【００１２】
本発明においての配管材４４とは、水道蛇口に取り付ける分岐栓（例えば、減圧弁に高水圧がかからないように安全弁を設けてもよい。）、該分岐栓と除菌水生成装置下部にある（電磁式給水弁６０の）流入口６３とを接続する原水給水ホース類、カートリッジ容器Ａ受部２２とポンプＡ４０とを接続するホース類（塩ビホースやビニールチューブの他に、例えば、ポリプロピレン樹脂等の樹脂成形部材でパイプの通路等を形成させてもよい。）、ポンプＡ４０と無隔膜電解槽４３入口とを接続するホース類、無隔膜電解槽４３出口と原水流水検出手段出口６４と吐水パイプ１４を結合するホース類等をまとめていうものとする。又、カートリッジ容器Ｂ３０を搭載するものにおいては、カートリッジ容器Ｂ受部３２とポンプＢ４１とを接続するホース類、ポンプＢ４１と無隔膜電解槽４３出口と原水流水検出手段出口６４と吐水パイプ１４を結合するホース類等も含むものとする。
【００１３】
スイッチ類１５の入力信号があると、自動的に電磁式給水弁６０が作動して原水（例えば、水道水、井戸水）が吐水パイプ１４より吐水される。原水流水検出手段６２からの入力信号があると、例えば、毎分２５ｃｃのポンプＡ４０を作動させて、カートリッジ容器Ａ２０内の被電解液を無隔膜電解槽４３に送り、無隔膜電解を開始し、水道水に生成された電解液を規定量（毎分２５ｃｃ）混入させる。点灯表示部品類１６が点灯したら、吐水パイプ１４からの吐水されている除菌水の使用を開始する。
【００１４】
入手性のよい食塩と日局オキシドールとを用いて、本発明の一実施例で生成された除菌水は、手指等の洗浄に適し肌荒れが起こりにくいｐＨ値８〜９の弱アルカリ性水で、安全性があり除菌効果が期待できる遊離残留塩素濃度５〜１５ｐｐｍ、溶存酸素濃度１５〜２０ｐｐｍ、ＯＲＰ（酸化還元電位）６００〜８００ｍＶの水に抑制されている。
約１０秒後に点灯表示部品類１６が消灯し、ポンプＡ４０が停止し、電磁式給水弁６０が閉塞して吐水パイプ１４からの吐水されている除菌水が止水する。
【００１５】本発明の他実施例について説明する。図３は本発明の他実施例の除菌水生成装置７０の斜視図である。又、図４はその構成図である。
カートリッジ容器Ａ２０には、水５００ｃｃの規定量に、食塩１．５ｇの規定量を混入させて被電解液をつくり、蓋２１を閉めたカートリッジ容器Ａ２０を逆さまにして除菌水生成装置７０に取付け、カートリッジ容器Ａ固定蓋１２を閉める。
カートリッジ容器Ｂ３０には、水５００ｃｃの規定量に、入手性の良い日局オキシドール１ｃｃの規定量を混入させて除菌補助液をつくり、蓋３１を閉めたカートリッジ容器Ｂ３０を逆さまにして除菌水生成装置７０に取付け、カートリッジ容器Ｂ固定蓋１３を閉める。
【００１６】
除菌水生成装置７０は、カートリッジ容器Ａ固定蓋１２と、カートリッジ容器Ａ２０と、カートリッジ容器Ａ受部２２と、ポンプＡ４０と、配管材４４と、被電解液を電解する無隔膜電解槽４３と、カートリッジ容器Ｂ固定蓋１３と、カートリッジ容器Ｂ３０と、カートリッジ容器Ｂ受部３２と、ポンプＢ４１と、吐水パイプ１４と、ケース７１と、スイッチ類１５及び点灯表示部品類１６と、電源装置５０と、電気制御基板５１と、電磁式給水弁６０及び減圧弁６１と、原水流水検出手段６２と、からなる。
【００１７】
スイッチ類１５の入力信号があると、自動的に電磁式給水弁６０が作動して原水が吐水パイプ１４より吐水される。原水流水検出手段６２からの入力信号があると、例えば、毎分２５ｃｃのポンプＡ４０を作動させて、カートリッジ容器Ａ２０内の被電解液を無隔膜電解槽４３に送り、無隔膜電解を開始し電解液を生成する。そして、例えば、毎分２５ｃｃのポンプＢ４１を作動させて、カートリッジ容器Ｂ３０内の除菌補助液と共に、該電解液を水道水に混入させる。点灯表示部品類１６が点灯したら、吐水パイプ１４からの吐水されている除菌水の使用を開始する。
【００１８】
入手性のよい食塩と日局オキシドールとを用いて、本発明の他実施例で生成された除菌水は、手指等の洗浄に適し肌荒れが起こりにくいｐＨ値８〜９の弱アルカリ性水で、安全性があり除菌効果が期待できる遊離残留塩素濃度５〜１５ｐｐｍ、溶存酸素濃度１５〜２０ｐｐｍ、ＯＲＰ６００〜８００ｍＶの水（結果として、本発明の一実施例の除菌水と同質の水が得られた。）に抑制されている。
約１０秒後に点灯表示部品類１６が消灯し、ポンプＡ４０及びポンプＢ４１が停止し、電磁式給水弁６０が閉塞して吐水パイプ１４からの吐水されている除菌水が止水する。
【００１９】
本発明の実施例の細部について説明する。図６は本発明のカートリッジ容器Ａ受部２２の要部断面図である。
従来は、被電解液の有無を検出するフロースイッチ部品と、被電解液濃度を検出する電極部品と、を個々に配管材に配設していたが、本発明においては、コンパクトにするために、カートリッジ容器Ａ受部２２に、カートリッジ容器Ａ２０の蓋２１に内蔵される逆止弁２３を押し上げるノック棒２４にスプリング２５と磁石２６とを設けて磁気検出手段２７（例えば、リードスイッチ、ホールＩＣ、コイル）と組み合わせた着脱状態検知手段（例えば、除菌水生成装置にカートリッジ容器Ａが取り付けられていなければ、電磁式給水弁がＯＮしない等の安全対策を講じることができる。）と、その付近の被電解液の有無（例えば、電解の自動停止、被電解液供給ランプ点灯等の処置を講じることができる。）及び被電解液濃度を検出（例えば、可変速モータ内蔵のポンプにて、１分間に送出できる被電解液の量を微調整する等の処置を講じることができる。）するために、水切りを良くする（水密性も向上する）ためにテフロン（登録商標）チューブ２８を被せた電極（過酸化水素の触媒とならない材質のものがよい。）２９と、を埋設させた。
【００２０】
図５は電気制御基板５１に採用されている電気回路の一部であり、本発明のカートリッジ容器Ａ受部２２に内蔵された電極２９から被電解液濃度を検出するための一実施例の部分電気回路図である。
【００２１】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
又、本発明の実施例で紹介した食塩と日局オキシドールの各々規定量を変化させると、遊離残留塩素濃度、溶存酸素濃度、ＯＲＰ共に変化するので、他の用途に使用する場合は、その用途にあわせて前記混入量の適量を実験等にて発見するとよい。
【００２２】
【発明の効果】
入手性のよい食塩と日局オキシドールとを用いて、本発明の実施例で生成された除菌水は、手指等の洗浄に適し肌荒れが起こりにくいｐＨ値８〜９の弱アルカリ性水で、又遊離残留塩素濃度５〜１５ｐｐｍ、溶存酸素濃度１５〜２０ｐｐｍ、ＯＲＰ６００〜８００ｍＶに抑制された水で、安全性があり除菌効果が期待できるという効果を奏する。
本発明の除菌水生成装置は、入手性のよい食塩と日局オキシドールとを各々規定量混入させた被電解液をカートリッジに入れておくだけで、手指等の洗浄時等必要な時に該被電解液を無隔膜電解槽で電解させて電解液に改変させ、該電解液の規定量を水道水等の原水に混入させて安全性のある上記除菌水が生成できるという効果を奏する。
【図面の簡単な説明】
【図１】本発明の一実施例の除菌水生成装置の斜視図である。
【図２】本発明の一実施例の除菌水生成装置の構成図である。
【図３】本発明の他実施例の除菌水生成装置の斜視図である。
【図４】本発明の他実施例の除菌水生成装置の構成図である。
【図５】本発明のカートリッジ容器Ａ受部に内蔵された電極から被電解液濃度を検出するための一実施例の部分電気回路図である。
【図６】本発明のカートリッジ容器Ａ受部の要部断面図である。
【符号の説明】
１０…一実施例の除菌水生成装置、１１…一実施例のケース、１２…カートリッジ容器Ａ固定蓋、１３…カートリッジ容器Ｂ固定蓋、１４…吐水パイプ、１５…スイッチ類、１６…点灯表示部品類、２０…カートリッジ容器Ａ、２１…容器Ａの蓋、２２…カートリッジ容器Ａ受部、２３…逆止弁、２４…ノック棒、２５…スプリング、２６…磁石、２７…磁気検出手段、２８…テフロン（登録商標）チューブ、２９…電極、３０…カートリッジ容器Ｂ、３１…容器Ｂの蓋、３２…カートリッジ容器Ｂ受部、４０…ポンプＡ、４１…ポンプＢ、４３…無隔膜電解槽、４４…配管材、５０…電源装置、５１…電気制御基板、６０…電磁式給水弁、６１…減圧弁、６２…原水流水検出手段、６３…電磁式給水弁の流入口、６４…原水流水検出手段出口、７０…他実施例の除菌水生成装置、７１…他実施例のケース
【図１】
0003594112.tif 000002
【図２】
0003594112.tif 000003
【図３】
0003594112.tif 000004
【図４】
0003594112.tif 000005
【図５】
0003594112.tif 000006
【図６】
0003594112.tif 000007